(57)【要約】【課題】記録した映像データの中から所望の映像データを容易に再生することができる映像記録再生装置及びその方法、並びにプログラムを提供する。【解決手段】ビデオサーバ１０３は、ＣＰＵ５０６、ハードディスク５０８、コードリーダ５１９、及びモニタ１０４を備え、ビデオカメラ１０１、及びプリンタ１０５に接続されている。ＣＰＵ５０６は、ビデオカメラ１０１から映像データを取得し、取得した映像データをハードディスク５０８に記録する。また、ＣＰＵ５０６は、映像データの記録場所情報を含む情報をプリンタ１０５に出力してライブラリカード１０７を印刷する。コードリーダ５１９は、ライブラリカード１０７に付加された記録場所情報を読取る。ＣＰＵ５０６は、読取られた記録場所情報に基づいてハードディスク５０８に記録された映像データをモニタ１０４により再生する。【選択図】図７
2007251665.tif 000002
【特許請求の範囲】
【請求項１】
映像データを取得する取得手段と、
前記取得した映像データを記録する記録手段と、
前記映像データの記録場所情報を含む情報をカードに付加する付加手段と、
前記カードに付加された記録場所情報を読取る読取手段と、
前記読取られた記録場所情報に基づいて前記記録された映像データを再生する再生手段とを備えることを特徴とする映像記録再生装置。
【請求項２】
前記付加手段は、前記映像データの記録場所情報を光学的に読取り可能なコードにコード化して印刷することを特徴とする請求項１記載の映像記録再生装置。
【請求項３】
前記付加手段は、前記映像データの記録場所情報を無線により読取り可能なタグに書き込むことを特徴とする請求項１記載の映像記録再生装置。
【請求項４】
前記取得手段は、ネットワークを介して外部装置から前記映像データを取得することを特徴とする請求項１乃至３のいずれか１項に記載の映像記録再生装置。
【請求項５】
前記取得手段は、被写体を撮影することにより前記映像データを取得することを特徴とする請求項１乃至３のいずれか１項に記載の映像記録再生装置。
【請求項６】
前記記録手段は、ネットワークを介して外部装置に前記取得した映像データを記録し、前記付加手段は、前記外部装置における前記映像データの記録場所情報をカードに付加することを特徴とする請求項１乃至５のいずれか１項に記載の映像記録再生装置。
【請求項７】
前記付加手段は、前記映像データに関する静止画像を前記カードに印刷することを特徴とする請求項１乃至６のいずれか１項に記載の映像記録再生装置。
【請求項８】
前記付加手段は、前記映像データの撮影日時情報を前記カードに印刷することを特徴とする請求項１乃至７のいずれか１項に記載の映像記録再生装置。
【請求項９】
前記付加手段は、前記映像データのタイトル情報を前記カードに印刷することを特徴とする請求項１乃至８のいずれか１項に記載の映像記録再生装置。
【請求項１０】
前記記録場所情報は、前記映像データの記録場所のネットワーク上のアドレス情報を含むことを特徴とする請求項１乃至９のいずれか１項に記載の映像記録再生装置。
【請求項１１】
前記記録場所情報に基づいて再生される映像データの範囲を指定する指定手段を備えることを特徴とする請求項１乃至１０のいずれか１項に記載の映像記録再生装置。
【請求項１２】
映像データを取得する取得ステップと、
前記取得した映像データを記録する記録ステップと、
前記映像データの記録場所情報を含む情報をカードに付加する付加ステップと、
前記カードに付加された記録場所情報を読取る読取ステップと、
前記読取られた記録場所情報に基づいて前記記録された映像データを再生する再生ステップとを備えることを特徴とする映像記録再生方法。
【請求項１３】
前記付加ステップは、前記映像データの記録場所情報を光学的に読取り可能なコードにコード化して印刷することを特徴とする請求項１２記載の映像記録再生方法。
【請求項１４】
前記付加ステップは、前記映像データの記録場所情報を無線により読取り可能なタグに書き込むことを特徴とする請求項１２記載の映像記録再生方法。
【請求項１５】
前記取得ステップは、ネットワークを介して外部装置から前記映像データを取得することを特徴とする請求項１２乃至１４のいずれか１項に記載の映像記録再生方法。
【請求項１６】
前記取得ステップは、被写体を撮影することにより前記映像データを取得することを特徴とする請求項１２乃至１４のいずれか１項に記載の映像記録再生方法。
【請求項１７】
前記記録ステップは、ネットワークを介して外部装置に前記取得した映像データを記録し、前記付加ステップは、前記外部装置における前記映像データの記録場所情報をカードに付加することを特徴とする請求項１２乃至１６のいずれか１項に記載の映像記録再生方法。
【請求項１８】
前記付加ステップは、前記映像データに関する静止画像を前記カードに印刷することを特徴とする請求項１２乃至１７のいずれか１項に記載の映像記録再生方法。
【請求項１９】
前記付加ステップは、前記映像データの撮影日時情報を前記カードに印刷することを特徴とする請求項１２乃至１８のいずれか１項に記載の映像記録再生方法。
【請求項２０】
前記付加ステップは、前記映像データのタイトル情報を前記カードに印刷することを特徴とする請求項１２乃至１９のいずれか１項に記載の映像記録再生方法。
【請求項２１】
前記記録場所情報は、前記映像データの記録場所のネットワーク上のアドレス情報を含むことを特徴とする請求項１２乃至２０のいずれか１項に記載の映像記録再生方法。
【請求項２２】
前記記録場所情報に基づいて再生される映像データの範囲を指定する指定ステップを備えることを特徴とする請求項１２乃至２１のいずれか１項に記載の映像記録再生方法。
【請求項２３】
映像記録再生装置で実行されるプログラムであって、
映像データを取得する取得モジュールと、
前記取得した映像データを記録する記録モジュールと、
前記映像データの記録場所情報を含む情報をカードに付加する付加モジュールと、
前記カードに付加された記録場所情報を読取る読取モジュールと、
前記読取られた記録場所情報に基づいて前記記録された映像データを再生する再生モジュールとを備えることを特徴とするプログラム。
【発明の詳細な説明】
【技術分野】
【０００１】
本発明は、映像記録再生装置及びその方法、並びにプログラムに関し、特に、使い勝手のよい映像ライブラリの環境を提供する映像記録再生装置及びその方法、並びにプログラムに関する。
【背景技術】
【０００２】
従来より、ユーザが家庭用ビデオカメラで撮影した映像をライブラリとするために、図１１に示すように、撮影した映像が記録されたメディアのケースにタイトル等を記入する方法が知られている。
【０００３】
図１１において、ユーザ１１０４はビデオカメラ１１０１により映像を撮影すると、撮影した映像が記録されたメディア１１０２（例えば、ビデオテープ）をビデオカメラ１１０１から取り出す。ユーザ１１０４は、このメディア１１０２をタイトル（例えば、「入園式」、「運動会」等）や撮影日時等を記入したケースに入れた上で、ライブラリ１１０３として棚に収納する。映像を再生する時は、ユーザ１１０４は、ライブラリ１１０３に収納されたメディアのケースに記入されたタイトル等を確認し、見たい映像が記録されたメディア１１０５を取り出す。この取り出したメディア１１０５をビデオカメラ１１０６やビデオデッキ１１０７に挿入して映像を再生させ、テレビ１１０８で観賞する。
【０００４】
また、映像ライブラリの別の例として、図１２に示すように、ビデオサーバ内に映像ライブラリを作成する方法が知られている（例えば、特許文献１参照）。
【０００５】
図１２において、ユーザは、映像を撮影したビデオカメラ１２０１をデジタルインタフェース１２０２（例えば、IEEE1394インタフェース）を介してビデオサーバ１２０３に接続する。ビデオサーバ１２０３は内部に大容量の記憶媒体（例えば、ハードディスク１２０４）を備えており、ビデオカメラ１２０１のメディア何本分にも相当する映像データを蓄積できる。ユーザは、ビデオカメラ１２０１により撮影した映像をビデオサーバ１２０３にデジタルインタフェース１２０２を介してコピーする。ビデオサーバ１２０３にはディスプレイ１２０５が一体または別体で設けられている。映像を再生する時は、まずビデオサーバ１２０３の出力画面をライブラリ一覧表示１２０６に切替える。ユーザは、スクロールバー１２０８やカーソル１２０９をリモコン１２０７で操作して、一覧から任意の映像データを選択して再生する。
【特許文献１】特開２００４−４０５３０号公報
【発明の開示】
【発明が解決しようとする課題】
【０００６】
しかしながら、上記メディアのケースにタイトル等を記入する方法では、メディアが増加すると、メディアを収納するために広いスペースが必要となる。また、映像データを他人に配信するためには、メディアからＰＣ（パーソナルコンピュータ）等に映像を取り込んで、取り込んだ映像をメール等で送信する必要があり、ユーザの操作が煩雑になる。
【０００７】
上記ビデオサーバ内に映像ライブラリを作成する方法では、映像ライブラリ作成時にキーボードやリモコンを操作してタイトル等を入力する必要がある。また、映像を再生する時に、ビデオサーバの出力画面を一覧表示やタイトル入力画面等に切替える必要があり、ユーザの操作が煩雑になる。また、こまめに映像のタイトルを入力しておかないと、図１２のライブラリ一覧表示１２０６のようにタイトルの代わりに記号や数字のみが表示され、所望の映像データを容易に選択することができない。
【０００８】
本発明の目的は、記録した映像データの中から所望の映像データを容易に再生することができる映像記録再生装置及びその方法、並びにプログラムを提供することにある。
【課題を解決するための手段】
【０００９】
上記目的を達成するために、請求項１記載の映像記録再生装置は、映像データを取得する取得手段と、前記取得した映像データを記録する記録手段と、前記映像データの記録場所情報を含む情報をカードに付加する付加手段と、前記カードに付加された記録場所情報を読取る読取手段と、前記読取られた記録場所情報に基づいて前記記録された映像データを再生する再生手段とを備えることを特徴とする。
【００１０】
請求項１２記載の映像記録再生方法は、映像データを取得する取得ステップと、前記取得した映像データを記録する記録ステップと、前記映像データの記録場所情報を含む情報をカードに付加する付加ステップと、前記カードに付加された記録場所情報を読取る読取ステップと、前記読取られた記録場所情報に基づいて前記記録された映像データを再生する再生ステップとを備えることを特徴とする。
【００１１】
請求項２３記載のプログラムは、映像記録再生装置で実行されるプログラムであって、映像データを取得する取得モジュールと、前記取得した映像データを記録する記録モジュールと、前記映像データの記録場所情報を含む情報をカードに付加する付加モジュールと、前記カードに付加された記録場所情報を読取る読取モジュールと、前記読取られた記録場所情報に基づいて前記記録された映像データを再生する再生モジュールとを備えることを特徴とする。
【発明の効果】
【００１２】
本発明によれば、映像データの記録場所情報を含む情報をカードに付加し、カードに付加された記録場所情報を読取り、読取られた記録場所情報に基づいて記録された映像データを再生する。結果として、記録した映像データの中から所望の映像データを容易に再生することができる。
【発明を実施するための最良の形態】
【００１３】
以下、本発明の実施の形態を図面を参照しながら詳述する。
【００１４】
［第１の実施の形態］
図１は、本発明の実施の形態に係る映像記録再生装置を含む映像記録再生システムの構成を示す図である。
【００１５】
図１において、映像記録再生システムは、ビデオカメラ１０１、ビデオサーバ１０３（映像記録再生装置）、及びプリンタ１０５を備える。ビデオカメラ１０１とビデオサーバ１０３は、IEEE1394インタフェース１０２を介して互いに接続されている。ビデオサーバ１０３とプリンタ１０５は、ＵＳＢインタフェース１２６を介して互いに接続されている。ビデオサーバ１０３には、映像を表示するためのモニタ１０４が接続されている。
【００１６】
ビデオカメラ１０１により撮影された映像データは、IEEE1394インタフェース１０２を介してビデオサーバ１０３が備えるハードディスク５０８（図２）にコピーされる。ビデオサーバ１０３は、入力された映像データから代表静止画像及び撮影日時情報を抽出する。
【００１７】
次に、ビデオサーバ１０３は、代表静止画像、撮影日時情報、及び映像データの記録場所情報を含むライブラリカード１０７の印刷データを作成し、この印刷データをＵＳＢインタフェース１０６を介してプリンタ１０５に送信する。プリンタ１０５は、ビデオサーバ１０３から送信された印刷データに基づいて、ビデオサーバ１０３が備えるハードディスク５０８（図２）にコピーした映像データに関連付けられたライブラリカード１０７を印刷する。
【００１８】
図２は、図１におけるビデオサーバ１０３の内部構成を示すブロック図である。
【００１９】
図２において、ビデオサーバ１０３は、切替スイッチ５０４、チューナ５０５、ＣＰＵ５０６、デコード部５１１、モニタ出力制御部５１２、記録再生制御部５０７、共有メモリ５１５、及びグラフィックジェネレータ５２１を備える。これらは制御バス５１４を介して互いに接続されている。また、ビデオサーバ１０３は、ハードディスク５０８、リモコン５０９、リモコン受光部５１０、コードリーダ５１９、及びＬＡＮ（Local Area Network）インタフェース５２０を備える。
【００２０】
ビデオカメラ１０１により撮影された映像データは、IEEE1394インタフェース１０２を介して切替スイッチ５０４及びデコード部５１１に入力される。チューナ５０５から受信された映像データは、切替スイッチ５０４に入力される。切替スイッチ５０４は、映像データの入力をIEEE1394インタフェース１０２側又はチューナ５０５側に切替える。
【００２１】
ユーザがリモコン５０９を操作してビデオカメラ１０１から入力された映像データのハードディスク５０８への記録指示を行うと、リモコン５０９の操作情報はリモコン受光部５１０を介してＣＰＵ５０６に送られる。ＣＰＵ５０６は、切替スイッチ５０４を制御して映像データの入力をIEEE1394インタフェース側に切替える。IEEE1394インタフェースを介して入力されたビデオカメラ１０１からの映像データは、記録再生制御部５０７を介してハードディスク５０８に記録される。
【００２２】
デコード部５１１は、ビデオカメラ１０１からの映像データをデコードする。デコードされた映像は、モニタ出力制御部５１２を介してモニタ１０４に表示される。即ち、ユーザは、ビデオカメラ１０１からの映像データをハードディスク５０８に記録しながら、モニタ１０４で映像を観賞することができる。
【００２３】
ＣＰＵ５０６は、制御バス５１４を介して接続された各部を制御する。ＣＰＵ５０６は映像データの記録開始を制御した後、デコード部５１１に映像データに付随する撮影日時情報の出力を指示する。撮影日時情報は、ビデオカメラ１０１が撮影時に映像データと共に付随データとして記録するもので、例えばＤＶフォーマットの場合サブコードエリアに記録されている（Specifications of Consumer-Use Digital VCRs参照）。
【００２４】
ＣＰＵ５０６は、デコード部５１１から出力される撮影日時情報から、記録開始から記録終了までの映像データの最も古い撮影日時情報と最も新しい撮影日時情報を抽出し、共有メモリ５１５に格納する。
【００２５】
また、ＣＰＵ５０６は、デコード部５１１によってデコードされた映像データから任意のタイミングで代表静止画像をキャプチャし、共有メモリ５１５に格納する。代表静止画像は、記録映像の開始部分、終了部分、撮影日時の一番古い映像部分、またはユーザがリモコン５０９を操作して指定する部分のいずれであってもよい。または、ビデオカメラ１０１が動画データとは別に代表静止画データを有している場合には、その代表静止画データをIEEE1394インタフェース１０２を介して入力し、共有メモリ５１５に格納する。
【００２６】
映像データの記録が終わると、ＣＰＵ５０６はハードディスク５０８にできた映像ファイルの記録場所情報を共有メモリ５１５に格納する。記録場所情報は、ＣＰＵ５０６が自動的に付加したファイル名でもよく、ファイルシステムのアドレス情報でもよい。ＣＰＵ５０６は、この記録場所情報を光学的に読取り可能なコードにコード化し、コード化した記録場所情報を共有メモリ５１５に格納する。
【００２７】
コード化処理が終了すると、ＣＰＵ５０６は代表静止画像、撮影日時、及びコード化された記録場所情報をＵＳＢインタフェース１０６を介してプリンタ１０５に出力する。プリンタ１０５は、代表静止画像、撮影日時、及びコード化された記録場所情報に基づいて映像データに関連付けられたライブラリカード１０７を印刷する。
【００２８】
ライブラリカード１０７に関連付ける映像データの範囲を指定する場合には、ＣＰＵ５０６は、記録開始前にグラフィックジェネレータ５２１を制御して、図３のユーザインタフェースをモニタ１０４にオーバーレイ表示する。ユーザは、このユーザインタフェースにより、ライブラリカード１０７に関連付ける映像データの範囲の開始ポイントと終了ポイントをリモコン５０９を操作して入力する。
【００２９】
図３は、図２におけるモニタ１０４に表示されるユーザインタフェースの一例を示す図である。
【００３０】
図３において、最初に画面６０１がモニタ１０４に表示される。画面６０１において、ユーザがリモコン５０９を操作して開始ポイントを決定すると、引き続き画面６０２がモニタ１０４に表示される。画面６０２において、ユーザが再びリモコン５０９を操作して終了ポイントを決定すると、ＣＰＵ５０６は、映像データの開始ポイントから終了ポイントまでの範囲をライブラリカード１０７に関連付けする。
【００３１】
ユーザが終了ポイントを決定しなかった場合は、記録終了までの映像データをライブラリカード１０７に関連付けする。ユーザが開始ポイントを決定しなかった場合は、記録開始から記録終了までの全ての範囲の映像データをライブラリカード１０７に関連付けする。
【００３２】
図４は、図１におけるライブラリカード１０７の一例を示す図である。
【００３３】
図４において、ライブラリカード１０７には、タイトル欄２０１、代表静止画像２０２、撮影日時情報２０３、及びコード２０４が印刷されている。
【００３４】
タイトル欄２０１は、ユーザによりタイトルを手書き入力するためのスペースである。代表静止画像２０２は、ビデオサーバ１０３が映像データから抽出した代表静止画像である。撮影日時欄情報２０３は、ビデオサーバ１０３が映像データから抽出した撮影日時情報である。
【００３５】
コード２０４は、このライブラリカード１０７に関連付けられた映像データの記録場所情報のコードである。この記録情報は、ハードディスク５０８において映像データが記録されている場所を特定するファイル情報である。図４において、コード２０４は、ＱＲ（Quick Response）コードとして示したが、これに限られるものではない。他の２次元コードやバーコードであってもよく、光学的に読取り可能なコードであればよい。
【００３６】
タイトルはユーザが記入するスペースをタイトル欄としてライブラリカードに印刷するとしたが、これに限られるものではない。映像データの付随情報に、記録時に作成したタイトル情報があれば、デコードされたデータからそのタイトル情報を抜き出して共有メモリ５１５に格納し、他の情報と同様にライブラリカードに印刷してもよい。
【００３７】
図５は、図４のライブラリカード１０７を収納するカードアルバムの一例を示す図である。
【００３８】
ユーザは、図５に示すように、ビデオサーバ１０３のハードディスク５０８に記録された映像データに関連付けられた複数のライブラリカードをカードアルバム３０１に収納してライブラリとする。ライブラリカードには、それぞれタイトルが記入され、代表静止画像、及び撮影日時情報が印刷されているので、ユーザは各ライブラリカードに関連付けられた映像データを容易に特定することができる。
【００３９】
図６は、図２のビデオサーバ１０３によって映像を再生する際の操作例を説明する図である。
【００４０】
図６において、ユーザは映像ライブラリカードの入ったカードアルバム３０１をめくり、ライブラリカードに記入されているタイトル、代表静止画像、撮影日時等を確認する。次に、ユーザは、ライブラリカードに記入されているタイトル等に基づいて、所望の映像データのライブラリカード１０７を選択し、カードアルバム３０１からライブラリカード１０７を取り出す。
【００４１】
ユーザは、取り出したライブラリカード１０７をビデオサーバ１０３が備えるコードリーダ５１９にかざす。ＣＰＵ５０９は、コードリーダ５１９から取得された記録場所情報に基づいて、ハードディスク５０８から映像データを読み出し再生する。その結果、ビデオサーバ１０３に接続されたモニタ１０４にライブラリカード１０７に関連付けられた映像４０６が表示される。
【００４２】
図７は、図２におけるＣＰＵ５０６によって実行されるライブラリカード作成処理の手順を示すフローチャートである。
【００４３】
図７において、まず、ＣＰＵ５０６は、リモコン５０９からリモコン受光部５１０を介して、映像データのハードディスク５０８への記録指示を受け付けると（ステップＳ１００１でＹＥＳ）、ステップＳ１００３に進む。
【００４４】
ステップＳ１００３では、ＣＰＵ５０６は、切換スイッチ５０４を制御して、映像データの入力をIEEE1394インタフェース１０２側に切替える。次に、ＣＰＵ５０６は、ライブラリカードに関連付ける映像の範囲を指定する画面６０１をモニタ１０４に表示する（ステップＳ１００４）。また、ＣＰＵ５０６は、記録再生制御部５０７を記録状態に設定する（ステップＳ１００５）。
【００４５】
次に、デコード部５１１のデコード処理、モニタ出力制御部５１２のモニタ出力処理、デコードされた映像データからの撮影日時情報処理を設定する（ステップＳ１００６）。設定が完了すると、IEEE1394インタフェース１０２を介してビデオカメラ１０１からの映像データの入力を開始する（ステップＳ１００７）。
【００４６】
次に、ＣＰＵ５０６は、リモコン５０９からのユーザ入力があるか否かを判別する（ステップＳ１００８）。この判別の結果、リモコン５０９からのユーザ入力があったときは、当該ユーザ入力が代表静止画像抽出の指示か、ライブラリカードに関連付ける映像の範囲指定の指示かを判別する（ステップＳ１００９）。
【００４７】
この判別の結果、ユーザ入力が代表静止画像抽出の指示であるときは、ＣＰＵ５０６は、デコード部５１１によってデコードされた映像データから代表静止画像を抽出する（ステップＳ１０１０）。ＣＰＵ５０６は、この抽出した代表静止画像を共有メモリ５１５に格納し（ステップＳ１０１１）、ステップＳ１０１４に進む。
【００４８】
一方、ユーザ入力がライブラリカードに関連付ける映像の範囲指定の指示であるときは（ステップＳ１００９でＮＯ）、モニタ１０４に表示された画面６０１，６０２において、ライブラリカードに関連付ける映像の範囲を決定する（ステップＳ１０１２）。ＣＰＵ５０６は、この指定された映像の範囲情報を共有メモリ５１５に格納し（ステップＳ１０１３）、ステップＳ１０１４に進む。この範囲情報は、例えばタイムコード等である。
【００４９】
ステップＳ１０１４では、映像データのハードディスク５０８への記録が終了したか否かを判別する。この判別の結果、映像データのハードディスク５０８への記録が終了していないときは、ステップＳ１００８に戻る。一方、映像データのハードディスク５０８への記録が終了したときは、ＣＰＵ５０６は、ハードディスク５０８における映像データの記録場所情報をコード化し、共有メモリ５１５に格納する（ステップＳ１０１５）。
【００５０】
ＣＰＵ５０６は、共有メモリ５１５に格納された撮影日時情報、代表静止画像、及びコード化された記録場所情報をプリンタ１０５に出力することにより、ライブラリカードを印刷し（ステップＳ１０１６）、本処理を終了する。
【００５１】
第１の実施の形態によれば、映像データの記録場所情報を含むライブラリカードを印刷し、このライブラリカードから記録場所情報を読取ることによって、ライブラリカードに関連付けられた映像データを再生する。結果として、記録した映像データの中から所望の映像データを容易に再生することができる。
【００５２】
本実施の形態において、記録場所情報はハードディスク５０８における映像データの記録場所を示す情報であるとしたが、これに限られるものではない。例えば、ビデオサーバがネットワークを介した映像データの配信機能を有する場合には、記録場所情報は、ネットワーク上における映像データの記録場所のアドレス情報を含むものでもよい。この場合、例えばコード化された記録場所情報をハガキに印刷し、映像データを配信する相手にそのハガキを送る。ハガキを受け取った相手は、手元のビデオサーバに受け取ったハガキをかざすことにより、送り主のビデオサーバにアクセスして映像を観賞することができる。
【００５３】
［第２の実施の形態］
本実施の形態では、本発明の機能をビデオカメラに実施した場合の動作を説明する。
【００５４】
図８は、本発明の第２の実施の形態に係る映像記録再生装置を含む映像記録再生システムの構成を示す図である。
【００５５】
図８において、映像記録再生システムは、ビデオカメラ７０１（映像記録再生装置）、ビデオサーバ７０３、及びプリンタ７０４を備え、これらはハブ７０５を介して互いにＬＡＮ接続されている。ハブ７０５は、屋外線７０６を介してインターネット網に接続されている。ビデオサーバ７０３には、映像を表示するためのモニタ７０２が接続されている。
【００５６】
ビデオカメラ７０１で撮影された映像データは、ＬＡＮを介してビデオサーバ７０３が備えるハードディスク（不図示）にコピーされる。ビデオカメラ７０１は、出力した映像データから代表静止画像及び撮影日時情報を抽出する。また、ビデオカメラ７０１は、ビデオサーバ７０３が備えるハードディスクにおける映像データの記録場所を示す記録場所情報をビデオサーバ７０３からＬＡＮを介して取得する。
【００５７】
次に、ビデオカメラ７０１は、代表静止画像、撮影日時情報、及び映像データの記録場所情報を含むライブラリカード７０７の印刷データを作成し、この印刷データをＬＡＮを介してプリンタ７０４に送信する。プリンタ７０４は、ビデオカメラ７０１から送信された印刷データに基づいて、ビデオサーバ７０３が備えるハードディスクにコピーした映像データに関連付けられたライブラリカード７０７を印刷する。
【００５８】
図９は、図８におけるビデオカメラ７０１の内部構成を示すブロック図である。
【００５９】
図９において、ビデオカメラ７０１は、カメラ８０３、エンコード部８０４、ＣＰＵ８０６、デコード部８１１、ＬＣＤ制御部８１２、記録再生制御部８０７、共有メモリ８１５、及びグラフィックジェネレータ８２１を備える。これらは制御バス８１４を介して互いに接続されている。また、ビデオカメラ７０１は、イヤホン端子８０９、マイク８１９、ＬＣＤパネル８１３、記録媒体８０８、操作ボタン８１０、及びＬＡＮ（Local Area Network）インタフェース８２０を備える。
【００６０】
カメラ８０３により取得された映像データは、エンコード部８０４に入力される。エンコード部８０４は、入力された映像データをエンコードする。エンコードされた映像データは、記録再生制御部を介して記録媒体８０８に記録される。
【００６１】
ユーザは、操作ボタン８１０を操作して、映像データのビデオサーバ７０３へのコピーを指示する。ＣＰＵ８０６は、撮影された映像データを記録媒体８０８から読み出し、ＴＣＰ／ＩＰプロトコルに則ってパケット化した上で、ＬＡＮインタフェース８２０を介してビデオサーバ７０３に出力する。
【００６２】
また、ＣＰＵ８０６は、デコード部８１１によってデコードされた映像データから任意のタイミングで代表静止画像をキャプチャし、共有メモリ８１５に格納する。代表静止画像は、記録映像の開始部分、終了部分、撮影日時の一番古い映像部分、またはユーザが操作ボタン８１０を操作して指定する部分のいずれであってもよい。または、動画データとは別に代表静止画像データを有している場合は、そのデータを共有メモリ８１５に格納する。さらに、デコード部８１１によってデコードされた映像データの付随データから撮影日時情報を抽出して共有メモリ８１５に格納する。
【００６３】
映像データのビデオサーバ７０３へのコピーが終了したら、ＣＰＵ８０６は、ビデオサーバ７０３における映像データの記録場所情報を共有メモリ８１５に格納する。記録場所情報は、例えばビデオサーバ７０３上のファイルネームや論理ブロックアドレス等である。ビデオサーバ７０３は、例えばＮＦＳ、ＣＩＦＳ、ＳＭＢ等のプロトコルによりＴＣＰ／ＩＰ経由でファイルシステムにアクセスすることができる。ＣＰＵ８０６は、この記録場所情報を光学的に読取り可能なコードにコード化し、コード化した記録場所情報を共有メモリ８１５に格納する。
【００６４】
コード化処理が終了すると、ＣＰＵ８０６は代表静止画像、記録場所日時情報、及びコード化された記録場所情報をＬＡＮインタフェース８２０を介してプリンタ７０４に出力する。プリンタ７０４は、代表静止画像、撮影日時、及びコード化された記録場所情報に基づいて映像データに関連付けられたライブラリカード７０７を印刷する。
【００６５】
映像を再生するときは、ライブラリカード７０７に印刷されたコードをカメラ８０３により読取ることにより、ビデオサーバ７０３における映像データの記録場所情報を取得し、ビデオサーバ７０３からＬＡＮを介して映像データを読み込む。ＣＰＵ８０６は、読み込んだデータをＬＣＤパネル８１３により再生する。
【００６６】
また、第１の実施の形態と同様に、ライブラリカード７０７をビデオサーバ７０３が備えるコードリーダにかざして、ビデオサーバ７０３のモニタ７０２により再生してもよい。
【００６７】
第２の実施の形態によれば、データの記録場所情報を含むライブラリカードを印刷し、このライブラリカードから記録場所情報を読取ることによって、ライブラリカードに関連付けられた映像データを再生する。結果として、記録した映像データの中から所望の映像データを容易に再生することができる。
【００６８】
［第３の実施の形態］
本実施の形態では、記録場所情報を無線により読取り可能なタグに記録する。
【００６９】
図１０は、本発明の第３の実施の形態に係る映像記録再生装置の内部構成を示す図である。図１０の構成は図２の構成と基本的に同じであり、図２と同一の構成要素には同一符号を付し、その説明を省略する。
【００７０】
図１０において、ビデオサーバ１０３は、プリント部９１７、RFIDリーダ９１９、及びRFIDライタ９１６を備える。
【００７１】
映像データのハードディスク５０８へのコピーが終了すると、ユーザは白紙のRFIDカード９２２をビデオサーバのプリント部９１７に挿入する。RFIDカード９２２には予めRFIDタグ９２３が埋め込まれている。
【００７２】
ＣＰＵ９０６は、RFIDカード９２２の挿入を検出すると、RFIDライタ９１６を介してハードディスク５０８における映像データの記録場所情報をRFIDカード９２２のRFIDタグ９２３に書き込む。次に、ＣＰＵ９０６は、プリンタ９１７を駆動して第１の実施の形態と同様に代表静止画像や撮影日時情報を含むライブラリカード９１８を印刷する。
【００７３】
映像を再生するときは、ユーザがライブラリカード９１８をRFIDリーダ部９１９にかざすと、RFIDリーダ部９１９は、ライブラリカード９１８のRFIDタグ９２３に書き込まれた記録場所情報を読取る。ＣＰＵ９０６は、読取られた記録場所情報に基づいて、映像データをハードディスク５０８から読み出し、モニタ１０４により再生する。
【００７４】
第３の実施の形態によれば、映像データの記録場所情報を無線により読取り可能なタグに記録するので、記録した映像データの中から所望の映像データを容易に再生することができる。
【図面の簡単な説明】
【００７５】
【図１】本発明の実施の形態に係る映像記録再生装置を含む映像記録再生システムの構成を示す図である。
【図２】図１におけるビデオサーバの内部構成を示すブロック図である。
【図３】図２におけるモニタに表示されるユーザインタフェースの一例を示す図である。
【図４】図１におけるライブラリカードの一例を示す図である。
【図５】図４のライブラリカードを収納するカードアルバムの一例を示す図である。
【図６】図２のビデオサーバによって映像を再生する際の操作例を説明する図である。
【図７】図２におけるＣＰＵによって実行されるライブラリカード作成処理の手順を示すフローチャートである。
【図８】本発明の第２の実施の形態に係る映像記録再生装置を含む映像記録再生システムの構成を示す図である。
【図９】図８におけるビデオカメラの内部構成を示すブロック図である。
【図１０】本発明の第３の実施の形態に係る映像記録再生装置の内部構成を示す図である。
【図１１】従来のメディアのケースにタイトルなどを記入する映像ライブラリの一例を示す図である。
【図１２】従来のビデオサーバを用いた映像ライブラリの一例を示す図である。
【符号の説明】
【００７６】
１０１  ビデオカメラ
１０２  デジタルインタフェース
１０３  ビデオサーバ
１０４  モニタ
１０５  プリンタ
１０６  デジタルインタフェース
１０７  ライブラリカード
【図１】
2007251665.tif 000003
【図２】
2007251665.tif 000004
【図３】
2007251665.tif 000005
【図４】
2007251665.tif 000006
【図５】
2007251665.tif 000007
【図６】
2007251665.tif 000008
【図７】
2007251665.tif 000009
【図８】
2007251665.tif 000010
【図９】
2007251665.tif 000011
【図１０】
2007251665.tif 000012
【図１１】
2007251665.tif 000013
【図１２】
2007251665.tif 000014